(57)【要約】【課題】踏み込みや体当たり等による激しい衝撃を緩和し、腰部を保護する剣道用腰部保護帯を提供することにある。【解決の手段】人体後側、脇腹の腰部に装着される、腰部保護樹脂板１と腰部保護樹脂板１に装着される腰椎仙骨保護パッド３０及び広背筋保護パッド４０、４０´と、腰部に装着するための装着ベルト２０を有する。【選択図】　　　図５
2004121705.tif 000002
【特許請求の範囲】
【請求項１】
人体後側、脇腹の腰部にあてがわれる弾力性を有する樹脂からなる腰部保護樹脂板であって、前記腰部保護樹脂板は人体の後中心の腰椎に当接される部分と、その左右の広背筋及び左右の脇腹に当接される部分と、仙骨に当接される部分を有することを特徴とする剣道用腰部保護帯。
【請求項２】
更に腰部保護樹脂板は腰椎及び仙骨に当接される部分に腰椎仙骨保護パッドと左右の広背筋に当接される部分に広背筋保護パッド有することを特徴とする請求項１に記載の剣道用腰部保護帯。
【請求項３】
更に腰部保護樹脂板の中央近傍に腰椎仙骨保護パッド取り付け用の細長い穴を有している請求項１〜請求項２のいずれかに記載の剣道用腰部保護帯。
【請求項４】
更に腰部保護樹脂板の両端近傍に装着ベルト取り付け用の細長い穴を有している請求項１〜請求項３のいずれかに記載の剣道用腰部保護帯。
【請求項５】
更に腰部保護樹脂板の中央近傍と両端近傍の中間に、やや中央近傍よりに広背筋保護パッド取り付け用の細長い穴を有している請求項１〜請求項４のいずれかに記載の剣道用腰部保護帯。
【請求項６】
更に腰部保護樹脂板には、複数の通気穴を有することを特徴とする請求項１〜請求項５のいずれかに記載の剣道用腰部保護帯。
【請求項７】
腰部保護樹脂板の中央近傍に、腰椎仙骨保護パッドの装着用の細長い穴が、ほぼ平行に縦方向を向いた左右１づつの穴と、腰部保護樹脂板の両端近傍に装着ベルト取り付け用の細長い穴がほぼ平行に縦方向を向いた２つの穴と、腰部保護樹脂板の中央近傍と両端近傍の中間に、やや中央近傍よりに広背筋保護パッド取り付け用の細長い穴が、中央寄りにほぼ縦方向を向いた穴１つと、両端寄りにやや斜め方向に向いた穴１つが、左右対称に設けてある請求項１〜請求項６のいずれかに記載の剣道用腰部保護帯。
【請求項８】
更に腰椎仙骨保護パッドは、腰椎仙骨保護パッドの装着用の細長い穴に装着ベルトを通すことによって腰部保護樹脂板に着脱自在であることを特徴とする請求項１〜請求項７のいずれかに記載の剣道用腰部保護帯。
【請求項９】
更に広背筋保護パッドは、広背筋保護パッド取り付け用の細い穴に装着ベルトを通すことによって腰部保護樹脂板に着脱自在であることを特徴とする請求項１〜請求項８のいずれかに記載の剣道用腰部保護帯。
【請求項１０】
更に腰部保護樹脂板は、装着ベルト取り付け用の細長い穴に装着ベルトを通すことによって腰部に着脱自在であることを特徴とする請求項１〜請求項９のいずれかに記載の剣道用腰部保護帯。
【請求項１１】
更に上記の装着ベルトは、機能性、装着性を良くするために面ファスナーを有することを特徴とする請求項１〜請求項１０のいずれかに記載の剣道用腰部保護帯。
【請求項１２】
上記の広背筋保護パッド及び腰椎仙骨保護パッドは、クッション性を有することを特徴とする請求項１〜請求項１１のいずれかに記載の剣道用腰部保護帯。
【請求項１３】
腰部保護樹脂板の大きさが、中央部の上下方向の寸法がほぼ第一腰椎から第五腰椎・仙骨までをカバーする程度の寸法を有し、中央部の上下方向をほぼ第一腰椎〜第五腰椎・仙骨にあてがった状態で、横方向の寸法が、左右の広背筋をカバーし、脇腹部まで至る寸法の大きさである請求項１〜請求項１２のいずれかに記載の剣道用腰部保護帯。
【請求項１４】
更に腰部保護樹脂板の広背筋から脇腹をカバーするために腰部保護樹脂板の広背筋外側部より切り欠きを設け、フィット性を高めて広背筋から脇腹部を自然にカバーすることのできる請求項１〜請求項１３のいずれかに記載の剣道用腰部保護帯。
【請求項１５】
更に、腰部保護樹脂板の仙骨から脇腹をカバーするために腰部保護樹脂板の腰骨部に切り欠きを設け、フィット性を高めて仙骨から脇腹部を自然にカバーすることのできる請求項１〜請求項１４のいずれかに記載の剣道用腰部保護帯。
【発明の詳細な説明】
【０００１】
【発明の属する技術分野】
この発明は、剣道稽古具に係り、特に腰部保護に好適な剣道用腰部保護帯に関するものである。
【０００２】
【従来の技術】
従来、剣道の稽古においては、踏み込みや体当たりの激しい衝撃により腰部等を痛め、腰痛をかかえて稽古している人が多い。
【０００３】
しかし、ほとんどの人は多少の腰痛でも治療しながら稽古を続けている。このようなことから、腰痛の予防や踏み込み、体当たり等の激しい衝撃により腰部にダメージが及ぶのを緩和するために、予防的なプロテクター的な意味で、剣道の稽古を行う際に着用が望まれる。
【０００４】
ところで、剣道用に商品化されている腰痛予防保護具は無く、腰痛治療用のコルセットや横帯を使用している。
【０００５】
しかし、腰痛治療用のコルセットは、腰部から腹部を圧迫するようにして背筋の負担を軽減しているため、腹部への負担が大きく複式呼吸が困難である等体力の消耗が著しい。しかも、硬質のプラスチックからできている為、激しい稽古により剣道衣、袴が着崩れ起こすため大変不向きであり、せっかく作ったコルセットを使用しないことが多い。また、剣道着の上から装着した場合、装着状態が見えるために大変見苦しい。
【０００６】
【発明が解決しようとする課題】
上記のようなことから、踏み込みや体当たり等による腰部へのダメージが及ぶのを緩和する事ができず、腰痛等の障害発生や腰痛悪化の主な要因となっている。
【０００７】
この発明は、上記のような課題に鑑み、その課題を解決すべく創案されたものであって、その目的とするところは、腰部を保護して腰痛等の障害を予防し、永年にわたり安全で健康的な剣道の稽古を行うことのできる剣道用腰部保護帯を提供することにある。
【０００８】
【課題を解決するための手段】
上記の目的を達成するために、この発明の剣道用腰部保護帯は、次のものからなる。
【０００９】
（１）人体後側、脇腹の腰部にあてがわれる弾力性を有する樹脂からなる腰部保護樹脂板であって、前記腰部保護樹脂板は人体の後中心の腰椎に当接される部分と、その左右の広背筋及び左右の脇腹に当接される部分と、仙骨に当接される部分を有することを特徴とする剣道用腰部保護帯。
【００１０】
（２）更に腰部保護樹脂板は腰椎及び仙骨に当接される部分に腰椎仙骨保護パッドと左右の広背筋に当接される部分に広背筋保護パッド有する前記（１）項に記載の剣道用腰部保護帯。
【００１１】
（３）更に腰部保護樹脂板の中央近傍に腰椎仙骨保護パッド取り付け用の細長い穴を有する前記（１）項または（２）項のいずれかに記載の剣道用腰部保護帯。
【００１２】
（４）更に腰部保護樹脂板の両端近傍に装着ベルト取り付け用の細長い穴を有する前記（１）項〜（３）項のいずれかに記載の剣道用腰部保護帯。
【００１３】
（５）更に腰部保護樹脂板の中央近傍と両端近傍の中間に、やや中央近傍よりに広背筋保護パッド取り付け用の細長い穴を有する前記（１）項〜（４）項のいずれかに記載の剣道用腰部保護帯。
【００１４】
（６）更に腰部保護樹脂板には、複数の通気穴を有する前記（１）項〜（５）項のいずれかに記載の剣道用腰部保護帯。
【００１５】
（７）腰部保護樹脂板の中央近傍に、腰椎仙骨保護パッドの装着用の細長い穴が、ほぼ平行に縦方向を向いた左右１づつの穴と、腰部保護樹脂板の両端近傍に装着ベルト取り付け用の細長い穴がほぼ平行に縦方向を向いた２つの穴と、腰部保護樹脂板の中央近傍と両端近傍の中間に、やや中央近傍よりに広背筋保護パッド取り付け用の細長い穴が、中央寄りにほぼ縦方向を向いた穴１つと、両端寄りにやや斜め方向に向いた穴１つが、左右対称に設けてある前記（１）項〜（６）項のいずれかに記載の剣道用腰部保護帯。
【００１６】
（８）更に腰椎仙骨保護パッドは、腰椎仙骨保護パッドの装着用の細長い穴に装着ベルトを通すことによって腰部保護樹脂板に着脱自在であることを特徴とする前記（１）項〜（７）項のいずれかに記載の剣道用腰部保護帯。
【００１７】
（９）更に広背筋保護パッドは、広背筋保護パッド取り付け用の細い穴に装着ベルトを通すことによって腰部保護樹脂板に着脱自在であることを特徴とする前記（１）項〜（８）項のいずれかに記載の剣道用腰部保護帯。
【００１８】
（１０）更に腰部保護樹脂板は、装着ベルト取り付け用の細長い穴に装着ベルトを通すことによって腰部に着脱自在であることを特徴とする前記（１）項〜（９）項のいずれかに記載の剣道用腰部保護帯。
【００１９】
（１１）更に上記の装着ベルトは、機能性、装着性を良くするために面ファスナーを有することを特徴とする前記（１）項〜（１０）項のいずれかに記載の剣道用腰部保護帯。
【００２０】
（１２）上記の広背筋保護パッド及び腰椎仙骨保護パッドは、クッション性を有することを特徴とする前記（１）項〜（１１）項のいずれかに記載の剣道用腰部保護帯。
【００２１】
（１３）腰部保護樹脂板の大きさが、中央部の上下方向の寸法がほぼ第一腰椎から第五腰椎・仙骨までをカバーする程度の寸法を有し、中央部の上下方向をほぼ第一腰椎〜第五腰椎・仙骨にあてがった状態で、横方向の寸法が、左右の広背筋をカバーし、脇腹部まで至る寸法の大きさである前記（１）項〜（１２）項のいずれかに記載の剣道用腰部保護帯。
【００２２】
（１４）更に腰部保護樹脂板の広背筋から脇腹をカバーするために腰部保護樹脂板の広背筋外側部より切り欠きを設け、フィット性を高めて広背筋から脇腹部を自然にカバーすることのできる前記（１）項〜（１３）項のいずれかに記載の剣道用腰部保護帯。
【００２３】
（１５）更に、腰部保護樹脂板の仙骨から脇腹をカバーするために腰部保護樹脂板の陽骨部に切り欠きを設け、フィット性を高めて仙骨から脇腹部を自然にカバーすることのできる前記（１）項〜（１４）項のいずれかに記載の剣道用腰部保護帯。
【００２４】
【発明の実施の形態】
以下、図面に記載の、本発明の実施の形態に基づいて、この発明をより具体的に説明するが、本発明は、これらの図示された具体例のみに限定されるものではない。
【００２５】
ここで、図１は剣道用腰部保護帯の腰部保護樹脂板を示す平面図、図２は剣道用腰部保護帯の装着ベルトを示す平面図、図３は剣道用腰部保護帯の腰椎仙骨保護パッドを示す平面図である。図４は剣道用腰部保護帯の広背筋保護パッドを示す平面図、図５は剣道用腰部保護帯を示す斜視図、図６は剣道用腰部保護帯の装着状態を示す正面図、図７は剣道用腰部保護帯の装着状態を示す斜視図、図８は剣道用腰部保護帯の装着状態を示す側面図、図９は剣道用腰部保護帯の装着状態を示す背面図、図１０は剣道用腰部保護帯の装着状態概略断面図である。図１１は背面から見た人体の部分骨格図である。図１２は背面から見た人体の部分筋肉図である。
【００２６】
図１において、１が弾力性を有する樹脂からなる腰部保護樹脂板であり、２、２´が腰椎仙骨保護パッド取り付け用穴、３、４及び３´、４´が広背筋保護パッド取り付け用装着ベルト穴、５、６及び５´、６´が装着ベルト通し穴、７、７´が通気穴、８、８´及び９、９´が切り欠き部である。弾力性を有することと、切り欠き部が設けられていることにより腰部保護樹脂板１を装着した際に、腰部の局面形状へのフィット性を高めることができる。
【００２７】
そして、図１に示した実施の形態では、腰椎仙骨保護パッドを装着するために、ほぼ縦方向を向いた左右１づつの穴２、２´を設けてある。また、広背筋保護パッドを装着するために、ほぼ縦方向を向いた穴３、３´と、やや斜め方向に向いている穴４、４´の２種類が左右に設けてある。また、装着ベルとを通すために、ほぼ縦方向を向いた５、５´及び６、６´の穴を左右に設けてある。また、蒸れ防止のために通気穴７、７´を設けられている。また、腰部の局面形状へのフィット性を高めるために８、８´及び９、９´の切り欠きを設けている。
【００２８】
図２の平面図において、装着ベルトは、腰部保護樹脂板１に腰椎仙骨保護パッド３０及び広背筋保護パッド４０、４０´を装着する役割と、腰部に腰部保護樹脂板１を装着する役割を兼ねている。装着ベルト２０の両端部の表面には、面ファスナー２１及び面ファスナー接着面２２が設けられている。この面ファスナー２１は腰部装着時には面ファスナー接着面２２に接着される。
【００２９】
装着装着ベルト２０の素材には、例えば布、化学繊維などが使用される。
【００３０】
図３の平面図において、腰椎仙骨保護パッド３０は、装着ベルト２０により腰部保護樹脂板１に装着され、第一腰椎から第五腰椎及び仙骨に当接される。腰椎仙骨保護パッド３０の素材にはクッション性を有するたとえば布、化学繊維などが使用される。
【００３１】
図４の平面図において、広背筋保護パッド４０、４０´は、装着ベルト２０により腰部保護樹脂板１に装着され、図１２の広背筋６１、６１´に当接される。広背筋保護パッド４０、４０´の素材にはクッション性を有するたとえば布、化学繊維などが使用される。
【００３２】
図５の斜視図において、装着ベルト２０は、面ファスナー接着面２２が取り付けられている部分より、腰部保護樹脂板１に設けられた装着ベルト通し穴６及び５、広背筋保護パッド取り付け用穴４及び３、腰椎仙骨保護パッド取り付け用穴２及び２´、広背筋保護パッド取り付け用穴３´及び４´、装着ベルト通し穴５´及び６´に通して腰部保護樹脂板１に取り付けられる。また、腰椎仙骨保護パッド３０は腰部保護樹脂板１と腰部保護樹脂板１に設けられた腰椎仙骨保護パッド取り付け用穴２及び２´に通した装着ベルト２０の間に下から上方向に入れて取り付ける。また、広背筋保護パッド４０は腰部保護樹脂板１と腰部保護樹脂板１に設けられた広背筋保護パッド取り付け用穴４及び３に通した装着ベルト２０の間に上から下方向に入れて取り付ける。また、広背筋保護パッド４０´を腰部保護樹脂板１と腰部保護樹脂板１に設けられた広背筋保護パッド取り付け用穴３´及び４´に通した装着ベルト２０の間に上から下方向に入れて取り付ける。
【００３３】
次に、上記発明の実施形態の構成に基づく剣道用腰部保護帯の使用状況について以下説明する。
まず、剣道着を着装する。次に、剣道着の上から装着装着ベルト２０により取付けられた、腰部保護樹脂板１、腰椎仙骨保護パッド３０、広背筋保護パッド４０、４０´を腰部にあて、面ファスナー２１、面ファスナー接着面２２によって人体前側の腹部に装着する。次に剣道用腰部保護帯を装着した状態から、袴の前の部分を装着装着ベルト２０の上の下腹部に当て、袴の左右の前紐を人体後側に巻き回して人体前側の装着ベルト２０の下で左右の前紐を結ぶ。さらに、袴の後部分の腰板を、剣道用腰部保護帯の腰部保護樹脂板１の上にあて左右の紐を人体前側に回して一度交差させる。交差した左の紐を前紐の上から、からみ通して右の紐と結び、剣道着・袴を着装した自然体の姿勢となる。
【００３４】
剣道着・袴を着装した自然体の姿勢から、剣道具を装着して稽古を行う。激しい踏込みや体当たりの際も、剣道用腰部保護帯により衝撃を緩和して腰部への負荷が軽減される。また、装着ベルト２０により剣道衣、袴の着崩れも少なく、常に、自然体に近い美しい姿勢が保持できる。
【００３５】
この発明の剣道用腰部保護帯を使用すれば、成長期にもかかわらず激しい稽古が中心である中学生、高校生、大学生等の腰痛等の障害予防に最適である。また、障害を抱えた者や、高齢者にとっては腰部にかかる負担を軽減でき、安全で健康的な剣道の稽古ができる。
【００３６】
また、障害予防等だけでなく、姿勢の矯正にも大変有効である。
【００３７】
なお、この発明は上記発明の実施の形態に限定されるものではなく、この発明の精神を逸脱しない範囲で種々の改変をなし得ることは勿論である。
【００３８】
【発明の効果】
以上の記載より明らかなように、この発明に係る剣道用腰部保護帯によれば、踏込みや体当たりによる、腰部等への激しい衝撃を緩和することができ、腰痛等の障害を予防し、永年にわたり安全で健康的な剣道の稽古を行うことができる。また、悪姿勢の矯正ができることにより自然体に近い剣道の構えを習得でき、剣道の総合的な技術向上を図ることが出来る等、極めて新規的な有益なる効果を奏するものである。
【図面の簡単な説明】
【図１】この発明の実施の形態に基づく腰部保護樹脂板を示す平面図である。
【図２】この発明の実施の形態に基づく装着ベルトを示す平面図である。
【図３】この発明の実施の形態に基づく腰椎仙骨保護パッドを示す平面図である。
【図４】この発明の実施の形態に基づく広背筋保護パッドを示す平面図である。
【図５】この発明の実施の形態に基づく剣道用腰部保護帯を示す斜視図である。
【図６】この発明の実施の形態に基づく剣道用腰部保護帯の装着状態を示す正面図である。
【図７】この発明の実施の形態に基づく剣道用腰部保護帯の装着状態を示す斜視図である。
【図８】この発明の実施の形態に基づく剣道用腰部保護帯の装着状態を示す側面図である。
【図９】この発明の実施の形態に基づく剣道用腰部保護帯の装着状態を示す背面図である。
【図１０】この発明の実施の形態に基づく剣道用腰部保護帯の装着状態概略断面図である。
【図１１】この発明の実施の形態に基づく背面側から見た人体の部分骨格図である。
【図１２】この発明の実施の形態に基づく背面側から見た人体の部分筋肉図である。
【符号の説明】
１　腰部保護樹脂板
２、２´　腰椎仙骨保護パッド取り付け用穴
３、３´　広背筋保護パッド取り付け用穴
４、４´　広背筋保護パッド取り付け用穴
５、５´　装着ベルト穴
６、６´　装着ベルト穴
７、７´　通気穴
８、８´　切り欠き
９、９´　切り欠き
２０　装着ベルト
２１　面ファスナー
２２　面ファスナー接着面
３０　腰椎仙骨保護パッド
４０　広背筋保護パッド
４０´　広背筋保護パッド
５１　第一腰椎
５２　第二腰椎
５３　第三腰椎
５４　第四腰椎
５５　第五腰椎
５６　仙骨
５７　陽骨
５８　助骨
６１、６１´　広背筋
【図１】
2004121705.tif 000003
【図２】
2004121705.tif 000004
【図３】
2004121705.tif 000005
【図４】
2004121705.tif 000006
【図５】
2004121705.tif 000007
【図６】
2004121705.tif 000008
【図７】
2004121705.tif 000009
【図８】
2004121705.tif 000010
【図９】
2004121705.tif 000011
【図１０】
2004121705.tif 000012
【図１１】
2004121705.tif 000013
【図１２】
2004121705.tif 000014